(57)【要約】【課題】コンテンツを視聴するための言語音声を複数設定した場合に、コンテンツを複数の言語音声で同時にマルチチャンネルサラウンド再生することができる再生装置を提供する。【解決手段】再生装置（１０５）は、少なくとも１つの言語音声を設定する設定部（１１７）と、ビデオ信号とオーディオ信号とを分離して出力する分離部（１０８）と、ビデオ信号のデコードおよびエンコードを行うビデオ信号処理部（１２０）と、第１のセンターチャンネル信号とそれ以外のマルチチャンネル信号とを出力する第１のデコーダ（１１１ａ）と、第２のセンターチャンネル信号を出力する第２のデコーダ（１１１ｂ）と、第１および第２のセンターチャンネル信号を受け、設定部（１１７）の設定に従って、第１および第２のセンターチャンネル信号の出力先を振り分けるセレクタ（１１２）とを備えている。【選択図】図１
2013179570.tif 000002
【特許請求の範囲】
【請求項１】
ビデオ信号と、複数の言語音声のそれぞれに対応するオーディオ信号とを含むコンテンツのマルチチャンネルサラウンド再生が可能な再生装置であって、
前記複数の言語音声のうち少なくとも１つの言語音声を設定する設定部と、
前記コンテンツを、前記ビデオ信号と、前記設定部に設定された言語音声にそれぞれ対応するオーディオ信号とに分離して出力する分離部と、
前記分離部から出力された前記ビデオ信号のデコードおよびエンコードを行うビデオ信号処理部と、
前記分離部から出力され、前記設定部に設定された言語音声のいずれか１つに対応するオーディオ信号をデコードして第１のセンターチャンネル信号を含むマルチチャンネルのサラウンドオーディオ信号を生成し、当該サラウンドオーディオ信号から前記第１のセンターチャンネル信号を抽出して、前記第１のセンターチャンネル信号とそれ以外のマルチチャンネル信号とを分離して出力する第１のデコーダと、
前記分離部から出力され、前記第１のデコーダによってデコードされる前記オーディオ信号とは異なる、言語音声に対応するオーディオ信号をデコードして第２のセンターチャンネル信号を含むマルチチャンネルのサラウンドオーディオ信号を生成し、当該サラウンドオーディオ信号から前記第２のセンターチャンネル信号を抽出して出力する第２のデコーダと、
前記第１および第２のセンターチャンネル信号を受け、前記設定部の設定に従って、前記第１および第２のセンターチャンネル信号の出力先を振り分けるセレクタとを備えている
ことを特徴とする再生装置。
【請求項２】
請求項１の再生装置において、
前記マルチチャンネル信号はマルチチャンネルスピーカ装置で再生され、
前記第１および第２のセンターチャンネル信号は、それぞれに対応する耳元スピーカで再生される
ことを特徴とする再生装置。
【請求項３】
請求項１の再生装置において、
前記マルチチャンネル信号と前記セレクタの出力とを増幅するマルチチャンネルアンプを備え、
前記セレクタは、前記設定部に１つの言語音声が設定されている場合、前記第１および第２のセンターチャンネル信号のうち、当該言語音声に対応するセンターチャンネル信号を前記マルチチャンネルアンプに出力する
ことを特徴とする再生装置。
【請求項４】
請求項１の再生装置において、
複数のアンプを備え、
前記セレクタは、前記設定部の設定に従って、前記第１および第２のセンターチャンネル信号をそれぞれ異なる前記複数のアンプに振り分けて出力する
ことを特徴とする再生装置。
【発明の詳細な説明】
【技術分野】
【０００１】
本開示は、マルチチャンネルサラウンド再生が可能な再生装置に関する。
【背景技術】
【０００２】
特許文献１は、複数の視聴者がコンテンツを視聴する場合に、視聴する際の言語を複数選択し、各自が選択した言語の音声をヘッドホンで聴きながら、映像を見ることができる再生装置を開示する。これにより、各視聴者は、自分が選択した言語でコンテンツを視聴することができる。
【先行技術文献】
【特許文献】
【０００３】
【特許文献１】特開２００７−１１６３０１号公報
【発明の概要】
【発明が解決しようとする課題】
【０００４】
本開示は、コンテンツを視聴するための言語音声を複数設定した場合に、コンテンツを複数の言語音声で同時にマルチチャンネルサラウンド再生することができる再生装置を提供する。
【課題を解決するための手段】
【０００５】
本開示における、ビデオ信号と、複数の言語音声のそれぞれに対応するオーディオ信号とを含むコンテンツのマルチチャンネルサラウンド再生が可能な再生装置は、複数の言語音声のうち少なくとも１つの言語音声を設定する設定部と、コンテンツを、ビデオ信号と、設定部に設定された言語音声にそれぞれ対応するオーディオ信号とに分離して出力する分離部と、分離部から出力されたビデオ信号のデコードおよびエンコードを行うビデオ信号処理部と、分離部から出力され、設定部に設定された言語音声のいずれか１つに対応するオーディオ信号をデコードして第１のセンターチャンネル信号を含むマルチチャンネルのサラウンドオーディオ信号を生成し、当該サラウンドオーディオ信号から第１のセンターチャンネル信号を抽出して、第１のセンターチャンネル信号とそれ以外のマルチチャンネル信号とを分離して出力する第１のデコーダと、分離部から出力され、第１のデコーダによってデコードされるオーディオ信号とは異なる、言語音声に対応するオーディオ信号をデコードして第２のセンターチャンネル信号を含むマルチチャンネルのサラウンドオーディオ信号を生成し、当該サラウンドオーディオ信号から第２のセンターチャンネル信号を抽出して出力する第２のデコーダと、第１および第２のセンターチャンネル信号を受け、設定部の設定に従って、第１および第２のセンターチャンネル信号の出力先を振り分けるセレクタとを備えている。
【発明の効果】
【０００６】
本開示における再生装置は、コンテンツを視聴するための言語音声を複数設定した場合に、コンテンツを複数の言語音声で同時にマルチチャンネルサラウンド再生することができる。
【図面の簡単な説明】
【０００７】
【図１】実施の形態１に係る再生システムの構成を示すブロック図である。
【図２】図１の再生システムに言語音声を設定する際のユーザインタフェースの例である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図１および図２を用いて、実施の形態１を説明する。
【００１１】
［１−１．構成］
［１−１−１．再生システムの構成］
図１は、実施の形態１に係る再生システムの構成を示すブロック図である。図１の再生システム１００は、例えば、ＤＶＤ（Digital Versatile Disc）やＢｌｕ−ｒａｙ  ＤＩＳＣ（登録商標）などの光ディスクに記録されているコンテンツを、マルチチャンネルサラウンド再生する。
【００１２】
再生システム１００は、ビデオモニタ１０１と、マルチチャンネルスピーカ装置１０２と、耳元スピーカ１０３ａ〜１０３ｃと、再生装置１０５とを有する。
【００１３】
ビデオモニタ１０１は、再生装置１０５からのビデオ出力を受けて、映像を表示する。
【００１４】
マルチチャンネルスピーカ装置１０２は、例えば５．１ｃｈのようなマルチチャンネルサラウンド再生が可能なスピーカ装置である。
【００１５】
耳元スピーカ１０３ａ〜１０３ｃは、視聴者１０４ａ〜１０４ｃがそれぞれ所望する言語を再生するためのスピーカである。すなわち、視聴者１０４ａ〜１０４ｃは、ビデオモニタ１０１およびマルチチャンネルスピーカ装置１０２によって映像および効果音等を共有するとともに、耳元スピーカ１０３ａ〜１０３ｃから各自の所望の言語を取得することができる。
【００１６】
［１−１−２．再生装置の構成］
再生装置１０５は、ディスク１０６と、読出部１０７と、分離部としてのプロセッサ１０８と、オーディオデコーダ部１１１と、ビデオ信号処理部１２０と、センターチャンネルセレクタ１１２と、マルチチャンネルアンプ１１３と、アンプ１１４ａ〜１１４ｃと、システムコントローラ１１６と、設定部１１７とを有する。
【００１７】
ディスク１０６は、コンテンツが記録された光ディスク等のメディアである。当該コンテンツには、ビデオ信号と、複数の言語音声のそれぞれに対応するオーディオ信号とが含まれる。
【００１８】
設定部１１７は、コンテンツの再生に関する各種設定を行うものである。設定部１１７には、例えば、日本語や英語などの言語音声でコンテンツを再生するための設定や、コンテンツの再生位置（トラックやチャプタなど）を指定するための設定などが行われる。複数の視聴者１０４ａ〜１０４ｃがコンテンツを同時に視聴する場合、設定部１１７にはコンテンツを視聴するための複数の言語音声のうち少なくとも１つの言語音声が設定される。例えば図２に示すように、設定部１１７には、３種類の言語（日本語、英語および韓国語）と、これら言語の出力先となるアンプ１１４ａ〜１１４ｃとが設定できるものとする。
【００１９】
図２は、図１の再生システムに言語音声を設定する際のユーザインタフェースの例である。図２に示すように、設定部１１７に、コンテンツを視聴するための各言語と、各言語の出力先とを設定することによって、視聴者１０４ａ〜１０４ｃは、アンプ１１４ａ〜１１４ｃからの言語出力を耳元スピーカ１０３ａ〜１０３ｃを介して取得することができる。これにより、視聴者１０４ａ〜１０４ｃは、それぞれ日本語、英語および韓国語でコンテンツを同時に視聴することができる。
【００２０】
図１に戻り、システムコントローラ１１６は、設定部１１７の設定に従って、読出部１０７、プロセッサ１０８およびセンターチャンネルセレクタ１１２のそれぞれに対して、動作の制御を指示する。
【００２１】
読出部１０７は、システムコントローラ１１６の指示に従って、ディスク１０６からコンテンツを読み出して、プロセッサ１０８に出力する。なお、読出部１０７は、コンテンツに含まれる全ての言語音声のそれぞれに対応するオーディオ信号を読み出してもよく、設定部１１７に設定された言語音声に対応するオーディオ信号を読み出してもよい。
【００２２】
プロセッサ１０８は、読出部１０７から受け取ったコンテンツを、システムコントローラ１１６の指示に従って、ビデオ信号と、設定部１１７に設定された言語音声に対応するオーディオ信号とに分離する。本実施の形態では、プロセッサ１０８は、コンテンツを、ビデオ信号と、日本語に対応するオーディオ信号（主たる言語音声のオーディオ信号）と、英語に対応するオーディオ信号（追加の言語音声のオーディオ信号）と、韓国語に対応するオーディオ信号（追加の言語音声のオーディオ信号）とに分離する。そして、プロセッサ１０８は、ビデオ信号をビデオ信号処理部１２０に出力するとともに、各オーディオ信号をオーディオデコーダ部１１１に出力する。ここで、主たる言語音声のオーディオ信号とは、コンテンツに含まれる複数の言語音声のうち、設定部１１７において第１に設定された言語音声に対応するオーディオ信号である。また、追加の言語音声のオーディオ信号とは、主たる言語音声のオーディオ信号以外のオーディオ信号である。
【００２３】
ビデオ信号処理部１２０は、ビデオデコーダ１２１とビデオエンコーダ１２２とを有し、プロセッサ１０８から出力されたビデオ信号のデコードおよびエンコードを行い、ビデオ出力を生成する。そして、ビデオ信号処理部１２０は、ビデオ出力をビデオモニタ１０１に供給する。
【００２４】
オーディオデコーダ部１１１は、第１のデコーダとしてのオーディオデコーダ１１１ａと、第２のデコーダとしてのオーディオデコーダ１１１ｂと、オーディオデコーダ１１１ｃとを有する。
【００２５】
オーディオデコーダ１１１ａは、プロセッサ１０８から出力されるオーディオ信号をデコードして、第１のセンターチャンネル信号を含むマルチチャンネルのサラウンドオーディオ信号を生成する。具体的に、オーディオデコーダ１１１ａは、主たる言語音声のオーディオ信号である日本語のオーディオ信号をデコードする。つまり、第１のセンターチャンネル信号は、日本語のオーディオ信号に対応する。そして、オーディオデコーダ１１１ａは、サラウンドオーディオ信号から第１のセンターチャンネル信号を抽出してセンターチャンネルセレクタ１１２に出力するとともに、第１のセンターチャンネル信号以外のマルチチャンネル信号をマルチチャンネルアンプ１１３に出力する。
【００２６】
オーディオデコーダ１１１ｂは、プロセッサ１０８から出力され、オーディオデコーダ１１１ａに入力されるオーディオ信号とは異なるオーディオ信号をデコードして、第２のセンターチャンネル信号を含むマルチチャンネルのサラウンドオーディオ信号を生成する。具体的に、オーディオデコーダ１１１ｂは、追加の言語音声のオーディオ信号である英語のオーディオ信号をデコードする。つまり、第２のセンターチャンネル信号は、英語のオーディオ信号に対応する。そして、オーディオデコーダ１１１ｂは、サラウンドオーディオ信号から第２のセンターチャンネル信号を抽出してセンターチャンネルセレクタ１１２に出力する。
【００２７】
オーディオデコーダ１１１ｃは、プロセッサ１０８から出力され、オーディオデコーダ１１１ａ，１１１ｂに入力されるオーディオ信号とは異なるオーディオ信号をデコードして、第３のセンターチャンネル信号を含むマルチチャンネルのサラウンドオーディオ信号を生成する。具体的に、オーディオデコーダ１１１ｃは、追加の言語音声のオーディオ信号である韓国語のオーディオ信号をデコードする。つまり、第３のセンターチャンネル信号は、韓国語のオーディオ信号に対応する。そして、オーディオデコーダ１１１ｃは、サラウンドオーディオ信号から第３のセンターチャンネル信号を抽出してセンターチャンネルセレクタ１１２に出力する。
【００２８】
センターチャンネルセレクタ１１２は、システムコントローラ１１６の指示を受けて、設定部１１７の設定に従って、オーディオデコーダ部１１１から出力される複数のセンターチャンネル信号の出力先の振り分けを行う。具体的に、センターチャンネルセレクタ１１２は、日本語に対応する第１のセンターチャンネル信号をアンプ１１４ａに、英語に対応する第２のセンターチャンネル信号をアンプ１１４ｂに、韓国語に対応する第３のセンターチャンネル信号をアンプ１１４ｃにそれぞれ出力する。また、センターチャンネルセレクタ１１２は、設定部１１７に単一の言語音声が設定された場合、耳元スピーカ１０３ａ〜１０３ｃによる再生に代えて通常のマルチチャンネル再生が可能なように、入力されるセンターチャンネル信号のいずれかをマルチチャンネルアンプ１１３に出力する構成となっていてもよい。
【００２９】
マルチチャンネルアンプ１１３は、オーディオデコーダ１１１ａからの、センターチャンネル信号を除くマルチチャンネル信号を増幅する。増幅されたマルチチャンネル信号は、マルチチャンネルスピーカ装置１０２に出力される。また、設定部１１７に単一の言語音声が設定された場合、耳元スピーカ１０３ａ〜１０３ｃによる再生に代えて通常のマルチチャンネル再生が可能なように、マルチチャンネルアンプ１１３は、センターチャンネルセレクタ１１２から出力されるセンターチャンネル信号を増幅し、マルチチャンネルスピーカ装置１０２に出力してもよい。
【００３０】
アンプ１１４ａ〜１１４ｃはそれぞれ、センターチャンネルセレクタ１１２からのセンターチャンネル信号を増幅して言語出力を生成し、対応する耳元スピーカ１０３ａ〜１０３ｃに出力する。具体的に、アンプ１１４ａは第１のセンターチャンネル信号を、アンプ１１４ｂは第２のセンターチャンネル信号を、アンプ１１４ｃは第３のセンターチャンネル信号を、それぞれ増幅する。
【００３１】
［１−２．再生システムの動作］
以上のように構成された再生システム１００について、その動作を以下説明する。
【００３２】
例えば、視聴者１０４ａによって、図２に示すような設定が設定部１１７になされると、プロセッサ１０８は、読出部１０７が読み出したコンテンツを、設定部１１７の設定に従って、ビデオ信号と、日本語に対応するオーディオ信号と、英語に対応するオーディオ信号と、韓国語に対応するオーディオ信号とに分離して出力する。
【００３３】
ビデオ信号は、ビデオ信号処理部１２０でデコードおよびエンコードされる。そして、ビデオ信号処理部１２０からのビデオ出力によって、ビデオモニタ１０１に映像が表示される。
【００３４】
プロセッサ１０８からの各オーディオ信号は、オーディオデコーダ部１１１でデコードされる。そして、オーディオデコーダ１１１ａからは日本語に対応するセンターチャンネル信号と当該センターチャンネル信号以外のマルチチャンネル信号とが出力される。また、オーディオデコーダ１１１ｂからは英語に対応するセンターチャンネル信号、オーディオデコーダ１１１ｃからは韓国語に対応するセンターチャンネル信号が出力される。
【００３５】
オーディオデコーダ１１１ａ〜１１１ｃから出力されたセンターチャンネル信号はそれぞれセンターチャンネルセレクタ１１２に入力される。そして、センターチャンネルセレクタ１１２は、設定部１１７の設定に従って、各センターチャンネル信号を対応するアンプ１１４ａ〜１１４ｃに振り分けて出力する。
【００３６】
オーディオデコーダ１１１ａから出力された、センターチャンネル信号を除くマルチチャンネル信号は、マルチチャンネルアンプ１１３で増幅されてマルチチャンネルスピーカ装置１０２に出力される。これにより、マルチチャンネルサラウンド再生が可能となる。
【００３７】
視聴者１０４ａは、アンプ１１４ａおよび耳元スピーカ１０３ａを介して日本語の言語出力を取得することできる。また、視聴者１０４ｂは、アンプ１１４ｂおよび耳元スピーカ１０３ｂを介して英語の言語出力を取得することできる。視聴者１０４ｃは、アンプ１１４ｃおよび耳元スピーカ１０３ｃを介して韓国語の言語出力を取得することできる。
【００３８】
［１−３．効果等］
以上のように、本実施の形態では、コンテンツを視聴するための言語音声を複数設定した場合に、そのコンテンツを複数の言語音声で同時にマルチチャンネルサラウンド再生することができる。すなわち、本実施の形態に係る再生装置１０５では、プロセッサ１０８によって、コンテンツが、ビデオ信号と、設定部１１７に設定された３種類の言語音声に対応するオーディオ信号とに分離され、オーディオデコーダ１１１ａ〜１１１ｃによって、各言語音声にそれぞれ対応するセンターチャンネル信号を含むマルチチャンネルのサラウンドオーディオ信号が生成される。そして、オーディオデコーダ１１１ａは、第１のセンターチャンネル信号と、第１のセンターチャンネル信号を除くマルチチャンネル信号とを分離して出力し、オーディオデコーダ１１１ｂ，１１１ｃは、第２および第３のセンターチャンネル信号を出力する。つまり、１つのコンテンツを視聴する場合に、ビデオ信号およびセンターチャンネル信号を除くマルチチャンネル信号はそれぞれ１つ存在し、センターチャンネル信号は３種類存在する。したがって、これらの信号を同時に再生することによって、コンテンツを複数の言語音声で同時にマルチチャンネルサラウンド再生することができる。
【００３９】
具体的に、センターチャンネル信号を除くマルチチャンネル信号は、マルチチャンネルスピーカ装置１０２によってマルチチャンネルサラウンド再生される。各センターチャンネル信号の出力先は、センターチャンネルセレクタ１１２によって、設定部１１７の設定に従ってアンプ１１４ａ〜１１４ｃに振り分けられる。各センターチャンネル信号は、アンプ１１４ａ〜１１４ｃで増幅され、視聴者１０４ａ〜１０４ｃの耳元スピーカ１０３ａ〜１０３ｃに出力される。
【００４０】
ここで、光ディスクに記録されている映画等のコンテンツは、マルチチャンネルスピーカ装置によるマルチチャンネルサラウンド再生を映像とともに楽しむことを想定して制作されることが多い。そして、マルチチャンネルのサラウンドオーディオ信号のうち、センターチャンネル信号は登場人物の台詞等に、センターチャンネル信号を除くマルチチャンネル信号は効果音等に割り当てられる場合が多い。
【００４１】
そこで、本実施の形態では、センターチャンネル信号を言語音声を表す信号として扱うことにより、視聴者１０４ａ〜１０４ｃは、コンテンツの登場人物の台詞等を各自が所望する言語で耳元スピーカ１０３ａ〜１０３ｃから同時に取得することができる。また、センターチャンネル信号を除くマルチチャンネル信号をマルチチャンネルスピーカ装置１０２で、映像をビデオモニタ１０１で再生することによって、視聴者１０４ａ〜１０４ｃはコンテンツの効果音等と映像とを共有してコンテンツを視聴することができる。つまり、本実施の形態に係る再生システムによると、複数の言語音声で同時にコンテンツのマルチチャンネルサラウンド再生が可能であるとともに、複数の視聴者が取得する言語音声が互いに干渉することを抑制することができる。
【００４２】
従来の再生装置は、複数の視聴者が映像を共有しながら各自のヘッドホンでコンテンツを視聴するような構成となっている。この再生装置によると、各視聴者は、互いに干渉することなく各自のヘッドホンから所望の言語音声および効果音等を取得することができるが、マルチチャンネルスピーカ装置を用いたマルチチャンネルサラウンド再生を実現することが困難である。つまり、従来の再生装置は、既存のマルチチャンネルスピーカ装置への適用が困難であるため、視聴者がサラウンド効果を楽しみながらコンテンツを視聴することに不向きである。
【００４３】
これに対して、本実施の形態では、既存のマルチチャンネルスピーカ装置を利用することができる。さらに、各視聴者１０４ａ〜１０４ｃは、各自の所望する言語音声で同時に、かつサラウンド効果を楽しみながらコンテンツを視聴することができる。
【００４４】
（その他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００４５】
そこで、以下、他の実施の形態を例示する。
【００４６】
実施の形態１では、アンプ１１４ａ〜１１４ｃが設けられているが、アンプ１１４ａ〜１１４ｃのうちいずれか１つをマルチチャンネルアンプ１１３内のセンターチャンネル信号を増幅するためのアンプで代用してもよい。例えば、アンプ１１４ａを省略し、主たる言語音声に対応するセンターチャンネル信号をマルチチャンネルアンプ１１３内のセンターチャンネル信号用のアンプで増幅して、耳元スピーカ１０３ａに出力してもよい。この場合、マルチチャンネルアンプ１１３は、システムコントローラ１１６の指示に従って、センターチャンネル信号の出力先を、マルチチャンネルスピーカ装置１０２と耳元スピーカ１０３ａとに切り替える構成にしてもよい。これにより、アンプの数を削減することができるため、再生装置１０５の省スペース化や低コスト化を図ることができる。
【００４７】
また、実施の形態１において、オーディオデコーダ１１１ａ〜１１１ｃの数、センターチャンネルセレクタ１１２の入出力数、アンプ１１４ａ〜１１４ｃの数、および耳元スピーカ１０３ａ〜１０３ｃの数はそれぞれ３つであるが、これらの数は２つ以上であればよい。この場合、これらの数に応じて、設定部１１７に設定可能な言語音声の数、システムコントローラ１１６およびプロセッサ１０８が処理できる言語音声の数を決定すればよい。
【００４８】
また、実施の形態１において、設定部１１７に、２種類の言語音声として例えば日本語と英語とが設定された場合、センターチャンネルセレクタ１１２は、設定部１１７の設定に従って、例えば、日本語に対応するセンターチャンネル信号をアンプ１１４ａ，１１４ｃに、英語に対応するセンターチャンネル信号をアンプ１１４ｂに出力してもよい。つまり、異なるアンプに同じ言語音声に対応するセンターチャンネル信号が出力されてもよい。
【００４９】
また、実施の形態１において、設定部１１７に１種類の言語音声が設定された場合、当該言語音声に対応するセンターチャンネル信号は、耳元スピーカ１０３ａ〜１０３ｃではなく、センターチャンネルセレクタ１１２およびマルチチャンネルアンプ１１３を介してマルチチャンネルスピーカ装置１０２の例えばセンタースピーカから出力されてもよい。これにより、複数の視聴者１０４ａ〜１０４ｃは、マルチチャンネルサラウンド再生されるコンテンツを同時に同じ言語音声で視聴することができる。
【００５０】
なお、上述したように、設定部１１７に１種類または２種類の言語音声が設定された場合、プロセッサ１０８は、設定部１１７に設定されていない言語音声に対応するオーディオ信号をコンテンツから分離して出力してもよい。この場合、設定部１１７に設定されていない言語音声に対応するセンターチャンネル信号がマルチチャンネルセレクタ１１２から出力されないようにすればよい。例えば、設定部１１７に日本語が設定された場合、センターチャンネルセレクタ１１２は、英語および韓国語のそれぞれに対応するセンターチャンネル信号を出力しないようにすればよい。あるいは、英語および韓国語のそれぞれに対応するオーディオ信号が入力されるオーディオデコーダの動作を停止してもよい。
【００５１】
また、複数の視聴者１０４ａ〜１０４ｃがコンテンツを視聴している最中に、設定部１１７の設定を変更してもよい。例えば、図２において、アンプ１１４ｂに英語を出力する設定から日本語を出力する設定に切り替えても良い。
【００５２】
また、実施の形態１では、主たる言語音声のオーディオ信号をオーディオデコーダ１１１ａでデコードすることによってマルチチャンネル信号が生成されるが、例えば追加の言語音声のオーディオ信号をオーディオデコーダ１１１ｂ，１１１ｃのいずれかでデコードすることによってマルチチャンネル信号を生成してもよい。
【００５３】
また、実施の形態１において、ディスク１０６および読出部１０７は再生装置１０５の外部にあってもよい。つまり、コンテンツが外部から再生装置１０５に入力されてもよく、例えば、コンテンツがデジタル放送やインターネットを介して再生装置１０５に入力されてもよい。
【００５４】
また、実施の形態１において、アンプ１１４ａ〜１１４ｃおよびマルチチャンネルアンプ１１３は、再生装置１０５の外部にあってもよい。また、システムコントローラ１１６と設定部１１７とは一体として構成されていてもよい。すなわち、プロセッサ１０８とセンターチャンネルセレクタ１１２とが設定部１１７の設定に従って、上述したような動作を行うような構成であればよい。
【００５５】
以上のように、本開示における技術の例示として、実施の形態を説明した。そのために、添付図面および詳細な説明を提供した。
【００５６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５７】
また、上述の実施の形態は、本開示における技術を例示するためのものであるから、特許請求の範囲またはその均等の範囲において種々の変更、置き換え、付加、省略などを行うことができる。
【産業上の利用可能性】
【００５８】
本開示は、コンテンツのマルチチャンネルサラウンド再生が可能な再生装置に適用可能である。具体的には、複数の視聴者がそれぞれ所望する複数の言語音声で同時にコンテンツのマルチチャンネルサラウンド再生をする場合に適用可能である。
【符号の説明】
【００５９】
１０２              マルチチャンネルスピーカ装置
１０３ａ〜１０３ｃ  耳元スピーカ
１０５              再生装置
１０８              プロセッサ（分離部）
１１１ａ            オーディオデコーダ（第１のデコーダ）
１１１ｂ            オーディオデコーダ（第２のデコーダ）
１１２              センターチャンネルセレクタ（セレクタ）
１１３              マルチチャンネルアンプ
１１４ａ〜１１４ｃ  アンプ
１１７              設定部
１２０              ビデオ信号処理部
【図１】
2013179570.tif 000003
【図２】
2013179570.tif 000004